(57)【要約】【課題】鉄筋コンクリート造の柱間に鉄骨梁を架け渡す際に、せん断力及び曲げモーメントに対して十分な耐力を有する柱梁接合構造を提供する。【解決手段】鉄筋コンクリート造の柱３０の表面から、梁端部４０を構成する鉄筋コンクリート部材４１が突出し、鉄筋コンクリート部材４１内にＨ型鋼２１からなる梁２０が埋設されてなる柱梁接合構造１０において、Ｈ型鋼２１の、鉄筋コンクリート部材４１内に埋設された部分の中央部において、ウエブ２３の両側に、夫々、Ｈ型鋼２１の上下のフランジ２２で挟まれる部分を塞ぐように設けられた中間部スチフナ２５を設ける。【選択図】図１
2010180622.tif 000002
【特許請求の範囲】
【請求項１】
鉄筋コンクリート造の柱の表面から、梁端部を構成する鉄筋コンクリート部材が突出し、当該鉄筋コンクリート部材内にＨ型鋼からなる梁の端部が埋設されてなる柱梁接合構造であって、
前記Ｈ型鋼は、前記鉄筋コンクリート部材内に埋設された部分の中間部において、ウエブの両側に、夫々、前記Ｈ型鋼の上下のフランジで挟まれる部分を塞ぐように設けられた中間部スチフナを備えることを特徴とする柱梁接合構造。
【請求項２】
請求項１記載の柱梁接合構造であって、
前記Ｈ型鋼は、前記鉄筋コンクリート部材内に埋設された部分の梁中央側端部において、前記ウエブの両側に、夫々、端部スチフナを備えることを特徴とする柱梁接合構造。
【請求項３】
請求項１又は２記載の柱梁接合構造であって、
前記端部スチフナは、前記鉄筋コンクリート部材の梁中央側端面を覆うような形状に形成されていることを特徴とする柱梁接合構造。
【請求項４】
鉄筋コンクリート造の柱の表面に梁端部を構成する鉄筋コンクリート部材を突出するように設け、当該鉄筋コンクリート部材内にＨ型鋼からなる梁の端部を埋設することにより、前記梁を前記柱に接合する柱梁接合方法であって、
前記Ｈ型鋼の前記鉄筋コンクリート部材内に埋設された部分の中間部において、ウエブの両側に、夫々、前記Ｈ型鋼の上下のフランジで挟まれる部分を塞ぐように中間部スチフナを設けておくことを特徴とする柱梁接合方法。
【発明の詳細な説明】
【技術分野】
【０００１】
本発明は、鉄骨梁と鉄筋コンクリート造の柱とを接合する構造に関する。
【背景技術】
【０００２】
従来より、鉄筋コンクリート造建物で大スパン架構を実現するために、梁を鉄骨造とすることが行われているが、梁を鉄骨造とする場合には、鉄骨梁の端部を柱に確実に定着させる必要がある。
【０００３】
このように鉄骨梁を鉄筋コンクリート造の柱に定着する構造として、例えば、特許文献１には、鉄筋コンクリート柱に接合された梁端部を構成する鉄筋コンクリート梁に、Ｈ型鋼からなる鉄骨梁の両端部を埋設し、鉄骨梁の鉄筋コンクリート梁への埋設始端位置における、ウエブと上下フランジの内面とに囲まれた全面に始端支圧プレートを取りつけ、鉄骨梁の端部位置に、ウエブ上部及びウエブ上部に連なる上側フランジに固着された上側終端支圧プレートと、ウエブ下部及びウエブ下部に連なる下側フランジに固着された下側終端支圧プレートとを取り付ける構造が記載されている。
【先行技術文献】
【特許文献】
【０００４】
【特許文献１】特許第３６３１２３７号公報
【発明の概要】
【発明が解決しようとする課題】
【０００５】
特許文献１記載の構造では、鉄骨梁に曲げモーメントが作用した場合には、梁端部を構成する鉄筋コンクリート梁に、梁中央側の上部と梁端部側の下部とを結ぶような圧縮ストラットが形成され、始端支圧プレート及び終端支圧プレートが設けられていることで、鉄骨梁からこれら支圧プレートを介してより効果的に応力が伝達される。しかしながら、上記のように終端支圧プレートを上下に分割してしまうと、支圧プレートによる応力伝達効果が十分でなくなるため、曲げ耐力が低下してしまうという問題がある。
【０００６】
本発明は、上記の問題点に鑑みなされたものであり、その目的は、鉄筋コンクリート造の柱間に鉄骨梁を架け渡す際に、せん断力及び曲げモーメントに対して十分な耐力を有する柱梁接合構造を提供することである。
【課題を解決するための手段】
【０００７】
本発明の柱梁接合構造は、鉄筋コンクリート造の柱の表面から、梁端部を構成する鉄筋コンクリート部材が突出し、当該鉄筋コンクリート部材内にＨ型鋼からなる梁の端部が埋設されてなる柱梁接合構造であって、前記Ｈ型鋼は、前記鉄筋コンクリート部材内に埋設された部分の中間部において、ウエブの両側に、夫々、前記Ｈ型鋼の上下のフランジで挟まれる部分を塞ぐように設けられた中間部スチフナを備えることを特徴とする。
【０００８】
上記の柱梁接合構造において、前記Ｈ型鋼は、前記鉄筋コンクリート部材内に埋設された部分の梁中央側端部において、前記ウエブの両側に、夫々、端部スチフナを備えてもよい。
また、前記端部スチフナは、前記鉄筋コンクリート部材の梁中央側端面を覆うような形状に形成されていてもよい。
【０００９】
また、本発明の柱梁接合方法は、鉄筋コンクリート造の柱の表面に梁端部を構成する鉄筋コンクリート部材を突出するように設け、当該鉄筋コンクリート部材内にＨ型鋼からなる梁の端部を埋設することにより、前記梁を前記柱に接合する柱梁接合方法であって、前記Ｈ型鋼の前記鉄筋コンクリート部材内に埋設された部分の中間部において、ウエブの両側に、夫々、前記Ｈ型鋼の上下のフランジで挟まれる部分を塞ぐように中間部スチフナを設けておくことを特徴とする。
【発明の効果】
【００１０】
本発明によれば、梁に荷重が作用することで生じる曲げモーメントに対しては、Ｈ型鋼及び梁端部を構成する鉄筋コンクリートが夫々抵抗するとともに、さらに、中間部スチフナが上下のフランジの間を塞ぐように取り付けられており、コンクリート部材に十分定着されるため、柱梁接合構造に十分な曲げ耐力を持たせることができる。また、梁にせん断力が作用した場合には、梁端部を構成するコンクリートのＨ型鋼の両側部に圧縮ストラットが形成される。このため、中間部スチフナを上下フランジで挟まれる部分を塞ぐように設けても、十分なせん断耐力を持たせることができる。
【図面の簡単な説明】
【００１１】
【図１】本実施形態の柱梁接合構造を示す図であり、（Ａ）は梁の軸方向の鉛直断面図、（Ｂ）は（Ａ）におけるI−I断面図、（Ｃ）は（Ａ）におけるII−II断面図である。
【図２】（Ａ）は、梁に荷重が作用した際のＨ型鋼に作用する応力を示す図、（Ｂ）は、鉄筋コンクリート部材に作用する応力を示す図、（Ｃ）は（Ｂ）におけるI−I断面図である。
【図３】（Ａ）は梁に荷重が作用した際の柱梁接合構造におけるモーメント分布を示すグラフ、（Ｂ）はせん断力分布を示すグラフである。
【図４】柱梁接合構造の構築方法を説明するための図である。
【発明を実施するための形態】
【００１２】
以下、本発明の柱梁接合構造の一実施形態について図面を参照しながら詳細に説明する。
図１は、本実施形態の柱梁接合構造１０を示す図であり、（Ａ）は梁２０の軸方向の鉛直断面図、（Ｂ）は（Ａ）におけるI−I断面図、（Ｃ）は（Ａ）におけるII−II断面図である。本実施形態の柱梁接合構造１０は、鉄筋コンクリート造の柱３０間にＨ型鋼２１からなる梁２０を架け渡すための柱３０と梁２０とを接合する構造である。
【００１３】
各柱３０には、鉄筋コンクリート部材４１からなる梁端部４０が一体に設けられている。Ｈ型鋼２１は、両端部が夫々梁端部４０内に埋設されるとともに、先端がガセットプレート３１により柱３０に接続されている。このように、Ｈ型鋼２１の端部が柱３０の表面近傍まで到達しており、Ｈ型鋼２１と鉄筋コンクリート部材４１の鉄筋４２との間で重ね継手のようにして引張荷重の伝達が行われるため、鉄筋４２とＨ型鋼２１との溶接を省略できる。なお、以下、このＨ型鋼２１が梁端部４０に埋設された区間を埋設区間という。
【００１４】
Ｈ型鋼２１の埋設区間の中間部には、上下のフランジ２２及びウエブ２３により囲まれる左右の領域に鋼板からなる中間部スチフナ２５が夫々取り付けられている。また、Ｈ型鋼２１の埋設区間の梁中央側端部に相当する位置には、梁端部４０を構成する鉄筋コンクリート部材４１の断面と同形状の端部スチフナ２４が取り付けられている。
【００１５】
以下、かかる構成の梁２０に荷重が作用した際の柱梁接合構造１０における荷重の支持機構を説明する。なお、以下の説明では、梁が中央を軸に対称であるため、梁の中央から一方の側に作用する応力を考える。
図２（Ａ）は、梁２０に荷重が作用した際のＨ型鋼２１に作用する応力を示す図、（Ｂ）は、鉄筋コンクリート部材４１に作用する応力を示す図、（Ｃ）は（Ｂ）におけるI−I断面図である。また、図３（Ａ）は梁２０に荷重が作用した際の柱梁接合構造１０におけるモーメント分布を示すグラフ、（Ｂ）はせん断力分布を示すグラフであり、夫々のグラフにおいて、Ｈ型鋼２１が負担する分は縦線を、鉄筋コンクリート部材４１が負担する分は横線を付して示している。
【００１６】
図３に示すように、梁２０の中央部に荷重が作用すると梁２０には曲げモーメントとせん断力が作用する。曲げモーメントは、梁２０中央部から柱３０に向かって増加する分布となり、また、せん断力の和は場所によらず一定の値となる。柱梁接合構造１０はＨ型鋼２１と梁端部４０を構成する鉄筋コンクリート部材４１とが夫々曲げモーメント及びせん断力を負担し、これに抵抗する。
【００１７】
図２（Ａ）に示すように、梁２０に鉛直荷重が作用すると、Ｈ型鋼２１には、埋設区間の梁中央側端部に上方に向かって支点反力が作用し、柱側端部に下方に向かって支点反力が作用する。このため、図３（Ａ）に示すように、Ｈ型鋼２１には、柱３０に向かって埋設区間の梁中央側端部まで増加し、梁中央側端部から減少するような分布で曲げモーメントが作用し、鉄筋コンクリート部材４１には支点反力に対応する応力が作用するため、梁端部４０を構成する鉄筋コンクリート部材４１には、柱３０に向かって増加するような分布の曲げモーメントが作用する。
【００１８】
かかる曲げモーメント対して、Ｈ型鋼２１は、上下のフランジ２２が夫々引張力及び圧縮力を負担することにより抵抗する。また、鉄筋コンクリート部材４１は、曲げモーメントに対して鉄筋４２の引張耐力とコンクリートの圧縮耐力により抵抗する。さらに、上記のようにＨ型鋼２１の埋設区間の梁中央側端部に端部スチフナ２４が取り付けられており、埋設区間の中間部には中間部スチフナ２５が取り付けられている。このため、中間部スチフナ２５が上下のフランジ２２の間を塞ぐように設けられていることで、鉄筋コンクリート部材４１に十分に定着されるため、柱梁接合構造１０に十分な曲げ耐力を持たせることができる。
【００１９】
また、図２（Ｂ）に示すように、梁２０に鉛直荷重が作用すると、Ｈ型鋼２１には、埋設区間よりも中央側では正の値となり、埋設区間内では負の値となるような分布のせん断力が作用する。また、鉄筋コンクリート部材４１には、全長に亘って一定の正のせん断力が作用する。
【００２０】
かかるせん断力に対してＨ型鋼２１は、せん断力に対してウエブ２３が負担することにより抵抗する。また、鉄筋コンクリート部材４１はせん断力に対して、図２（Ｂ）に示すように、梁端部４０に梁中央側の上部と、柱側下部とを結ぶように斜めに形成された圧縮ストラット（図中灰色で示す）が抵抗する。
【００２１】
そして、本実施形態では、同図（Ｃ）に示すように、圧縮ストラットは、梁端部４０を構成する鉄筋コンクリート部材４１の中間部スチフナ２５の両側の領域に形成され、圧縮ストラットと中間部スチフナ２５とが交差することがない。また、本実施形態では、端部スチフナ２４が梁端部４０を構成する鉄筋コンクリート部材４１の断面と同形状（つまり、鉄筋コンクリート部材４１の端面全体を覆うような形状）に形成されているため、圧縮ストラットがＨ型鋼２１の外側の領域に形成されても、Ｈ型鋼２１に作用するせん断力が梁中央側端部において、端部スチフナ２４を介して圧縮ストラットに伝達される。
【００２２】
なお、上記のような柱梁接合構造１０は、以下のようにして構築することができる。
まず、図４（Ａ）に示すように、側面から接続筋４３が突出するように梁２０の両側の柱３０を構築する。柱３０は、ＰＣ柱部材を建て込むことにより構築してもよいし、現場において鉄筋を配筋し、型枠を設置し、コンクリートを打設して構築してもよい。そして、構築した柱３０にガセットプレート３１を取り付ける。
【００２３】
次に、図４（Ｂ）に示すように、中間部スチフナ２５及び端部スチフナ２４が取り付けられたＨ型鋼２１を柱３０間に建て込む。そして、ガセットプレート３１により、Ｈ型鋼２１の両端を柱３０に接続する。また、接続筋４３に鉄筋４２を継手する。このとき、Ｈ型鋼２１の端部が柱３０の表面近傍まで到達していることで、ガセットプレート３１とピン接合することができる。また、このようにピン接合することで、図２（Ａ）を参照して説明したようなＨ型鋼２１の負担するモーメントが柱３０側端部において０となるモーメント分布が確実に実現される。
【００２４】
次に、図４（Ｃ）に示すように、梁端部４０を構成するコンクリートを打設する。この際、端部スチフナ２４は構築すべき梁端部４０と同一の断面を有するため、型枠の一部として利用することができる。
以上の工程により柱３０の間に梁を架け渡すことができる。
【００２５】
本実施形態によれば、曲げモーメントに対しては、Ｈ型鋼２１は上下のフランジ２２が圧縮力及び引張力を負担することにより抵抗し、また、鉄筋コンクリート部材４１は鉄筋４２が引張力をコンクリートが圧縮力を負担することにより抵抗する。さらに、中間部スチフナ２５が上下のフランジ２２の間を塞ぐように設けられていることで、鉄筋コンクリート部材４１に十分に定着される。このため、柱梁接合構造１０に十分な曲げ耐力を持たせることができる。
【００２６】
また、せん断力に対しては、Ｈ型鋼２１はウエブ２３がこのせん断力を負担し、また、鉄筋コンクリート部材４１は圧縮ストラットが負担することにより抵抗する。この際、圧縮ストラットは、鉄筋コンクリート部材４１のＨ型鋼２１の両側部にあたる領域に形成されるため、端部スチフナ２４が圧縮ストラットを交差することがなく、確実に応力が伝達されることとなり、柱梁接合構造１０に十分なせん断耐力を持たせることができる。
【００２７】
また、端部スチフナ２４が梁端部４０の全領域を覆うような断面を有するため、上記のように圧縮ストラットが梁端部４０を構成する鉄筋コンクリート部材４１のＨ型鋼２１の両側部にあたる領域に形成されても、圧縮ストラットと端部スチフナ２４との間で確実に応力が伝達されることとなる。
【００２８】
なお、本実施形態では、端部スチフナ２４を梁端部４０の全領域を覆うような断面形状としたが、これに限らず、埋設区間の間で十分に鉄筋コンクリート部材４１とＨ型鋼２１の間の応力伝達が行われる場合には、端部スチフナ２４を梁端部４０の一部のみを覆うような形状としてもよいし、省略してもよい。
【符号の説明】
【００２９】
１０  柱梁接合構造
２０  梁
２１  Ｈ型鋼
２２  フランジ
２３  ウエブ
２４  端部スチフナ
２５  中間部スチフナ
３０  柱
３１  ガセットプレート
４０  梁端部
４１  鉄筋コンクリート部材
４２  鉄筋
【図１】
2010180622.tif 000003
【図３】
2010180622.tif 000004
【図４】
2010180622.tif 000005
【図２】
2010180622.tif 000006